【手続補正書】
【提出日】平成17年8月17日(2005.8.17)
【手続補正１】
【補正対象書類名】明細書
【補正対象項目名】特許請求の範囲
【補正方法】変更
【補正の内容】
【特許請求の範囲】
【請求項１】
データを暗号化して送信する複数のデータ送信装置と、該データ送信装置からの暗号化されたデータを受信する複数のデータ受信装置と、を備える暗号化コード管理システムであって、
選択した前記データ送信装置を第１データ送信装置とし、選択した前記データ受信装置を第２データ受信装置とし、前記第１データ送信装置と通信システムを構築しているデータ受信装置を第１データ受信装置とし、前記第２データ受信装置と通信システムを構築しているデータ送信装置を第２データ送信装置としたとき、
前記第１データ送信装置と前記第２データ送信装置との間、又は、前記第１データ受信装置と前記第２データ受信装置との間のいずれか一方で、暗号化コードが交換されることによって、前記第１データ送信装置及び前記第２データ受信装置によって通信システムを新たに構築することを特徴とする暗号化コード管理システム。
【請求項２】
選択した前記データ送信装置又は前記データ受信装置のいずれか一方と通信を行うとともに、前記データ送信装置又は前記データ受信装置のいずれか一方から受信した前記暗号化コードを格納する電子機器を備え、
前記第１データ送信装置及び前記第２データ送信装置との間における暗号化コードの交換、又は、前記第１データ受信装置及び前記第２データ受信装置との間における暗号化コードの交換のいずれか一方を行う際に、前記電子機器を介して暗号化コードの交換を行うことを特徴とする請求項１に記載の暗号化コード管理システム。
【請求項３】
データを暗号化して送信する複数のデータ送信装置と、該データ送信装置からの暗号化されたデータを受信する複数のデータ受信装置と、を備え、同一の通信システムを構築する前記データ送信装置及び前記データ受信装置を選択して、選択した当該データ送信装置及び当該データ受信装置に対して同一の暗号化コードを設定する暗号化コード管理システムであって、
書換が必要な第１暗号化コードを送信側及び１又は複数の受信側それぞれに対応して格納するとともに、前記データ送信装置及び前記データ受信装置と通信を行う電子機器を備え、
前記電子機器が、
選択した前記データ送信装置又は前記データ受信装置のいずれか１つと通信を行うことで、通信している前記データ送信装置又は前記データ受信装置が備えている第２暗号化コードを受信した後、
格納している前記第１暗号化コードを前記第２暗号化コードに書き換えて、送信側及び１又は複数の受信側それぞれに格納し、
格納した前記第２暗号化コードを、前記第２暗号化コードを備えた前記データ送信装置又は前記データ受信装置と通信システムを構築するように選択された前記データ送信装置又は前記データ受信装置が備えた前記暗号化コードと交換し、
選択した前記データ送信装置及び１台又は複数台の前記データ受信装置との間で通信可能な通信システムを構築することを特徴とする暗号化コード管理システム。
【請求項４】
前記電子機器が前記第１暗号化コードを前記第２暗号化コードに書き換える際、書換を行う前記第１暗号化コードの数が設定されることを特徴とする請求項３に記載の暗号化コード管理システム。
【請求項５】
データを暗号化して送信する複数のデータ送信装置と、該データ送信装置からの暗号化されたデータを受信する複数のデータ受信装置と、を備え、同一の通信システムを構築する前記データ送信装置及び前記データ受信装置を選択して、選択した当該データ送信装置及び当該データ受信装置に対して同一の暗号化コードを設定する暗号化コード管理システムであって、
書換が必要な第１暗号化コードを送信側及び１又は複数の受信側それぞれに対応して格納するとともに、前記データ送信装置及び前記データ受信装置と通信を行う電子機器を備え、
前記電子機器が、
選択した前記データ送信装置又は前記データ受信装置のいずれか１つと通信を行うことで、通信している前記データ送信装置又は前記データ受信装置が備えている第２暗号化コードを受信した後、
格納している前記第１暗号化コードを前記第２暗号化コードに書き換えて、送信側及び１又は複数の受信側それぞれに格納し、
格納した前記第２暗号化コードを前記第２暗号化コードを備えた前記データ送信装置又は前記データ受信装置と通信システムを構築するように選択された前記データ送信装置又は前記データ受信装置に送信して、選択した前記データ送信装置及び前記データ受信装置がデータ通信を行うときに使用する暗号化コードとして設定し、
選択した前記データ送信装置及び１台又は複数台の前記データ受信装置との間で通信可能な通信システムを構築することを特徴とする暗号化コード管理システム。
【請求項６】
前記電子機器が前記第１暗号化コードを前記第２暗号化コードに書き換える際、書換を行う前記第１暗号化コードの数が設定されることを特徴とする請求項５に記載の暗号化コード管理システム。
【請求項７】
前記暗号化コードが前記データ送信装置及び前記データ受信装置のいずれか１つに送信された後、所定時間が経過したとき、他の前記データ送信装置又は前記データ受信装置への当該暗号化コードの送信が禁止されることを特徴とする請求項５又は請求項６に記載の暗号化コード管理システム。
【請求項８】
前記第１暗号化コードが前記電子機器で前記第２暗号化コードに書き換えられ後、所定時間が経過したとき、他の前記データ送信装置又は前記データ受信装置への当該暗号化コードの送信が禁止されることを特徴とする請求項５又は請求項６に記載の暗号化コード管理システム。
【請求項９】
データを暗号化して送信する複数のデータ送信装置と、該データ送信装置からの暗号化されたデータを受信する複数のデータ受信装置と、を備え、同一の通信システムを構築する前記データ送信装置及び前記データ受信装置を選択して、選択した当該データ送信装置及び当該データ受信装置に対して同一の暗号化コードを設定する暗号化コード管理システムであって、
選択した前記データ送信装置及び前記データ受信装置の間でのデータ通信時において使用される前記暗号化コードのうちの一つ又は複数を格納するとともに、前記データ送信装置及び前記データ受信装置と通信を行う電子機器を備え、
前記電子機器が選択した前記データ送信装置及び前記データ受信装置それぞれに前記電子機器に格納されている前記暗号化コードを送信して、選択した前記データ送信装置及び前記データ受信装置がデータ通信を行うときに使用する暗号化コードとして設定し、
選択した前記データ送信装置及び前記データ受信装置との間で通信可能な通信システムを構築するとともに、
前記暗号化コードが前記データ送信装置及び前記データ受信装置のいずれか１つに送信された後、所定時間が経過したとき、他の前記データ送信装置又は前記データ受信装置への当該暗号化コードの送信が禁止されることを特徴とする暗号化コード管理システム。
【請求項１０】
データを暗号化して送信する複数のデータ送信装置と、該データ送信装置からの暗号化されたデータを受信する複数のデータ受信装置と、を備え、同一の通信システムを構築する前記データ送信装置及び前記データ受信装置を選択して、選択した当該データ送信装置及び当該データ受信装置に対して同一の暗号化コードを設定する暗号化コード管理システムであって、
選択した前記データ送信装置及び前記データ受信装置の間でのデータ通信時において使用される前記暗号化コードを生成するとともに、前記データ送信装置及び前記データ受信装置と通信を行う電子機器を備え、
前記電子機器が選択した前記データ送信装置及び前記データ受信装置それぞれに生成した前記暗号化コードを送信して、選択した前記データ送信装置及び前記データ受信装置がデータ通信を行うときに使用する暗号化コードとして設定し、
選択した前記データ送信装置及び前記データ受信装置との間で通信可能な通信システムを構築するとともに、
前記暗号化コードが前記データ送信装置及び前記データ受信装置のいずれか１つに送信された後、所定時間が経過したとき、他の前記データ送信装置又は前記データ受信装置への当該暗号化コードの送信が禁止されることを特徴とする暗号化コード管理システム。
【請求項１１】
データを暗号化して送信する複数のデータ送信装置と、該データ送信装置からの暗号化されたデータを受信する複数のデータ受信装置と、を備え、同一の通信システムを構築する前記データ送信装置及び前記データ受信装置を選択して、選択した当該データ送信装置及び当該データ受信装置に対して同一の暗号化コードを設定する暗号化コード管理システムであって、
選択した前記データ送信装置及び前記データ受信装置の間でのデータ通信時において使用される前記暗号化コードを生成するとともに、前記データ送信装置及び前記データ受信装置と通信を行う電子機器を備え、
前記電子機器が選択した前記データ送信装置及び前記データ受信装置それぞれに生成した前記暗号化コードを送信して、選択した前記データ送信装置及び前記データ受信装置がデータ通信を行うときに使用する暗号化コードとして設定し、
選択した前記データ送信装置及び前記データ受信装置との間で通信可能な通信システムを構築するとともに、
前記暗号化コードが前記電子機器で生成された後、所定時間が経過したとき、他の前記データ送信装置又は前記データ受信装置への当該暗号化コードの送信が禁止されることを特徴とする暗号化コード管理システム。
【請求項１２】
前記電子機器から送信される前記暗号化コードの前記データ送信装置及び前記データ受信装置それぞれへの送信回数が所定回数まで制限されることを特徴とする請求項５〜請求項１１のいずれかに記載の暗号化コード管理システム。
【請求項１３】
前記暗号化コードが交換又は設定可能であるコードと交換又は設定不可能であるコードとを備え、前記交換又は設定不可能な暗号化コードが前記データ送信装置又は前記データ受信装置又は前記電子機器のいずれかで検知されたとき、当該暗号化コードの交換又は設定動作を禁止することを特徴とする請求項１〜請求項１２のいずれかに記載の暗号化コード管理システム。
【請求項１４】
前記暗号化コードが、前記データ送信装置及び前記データ受信装置を特定する種類に応じて交換可能であることが設定されることを特徴とする請求項１３に記載の暗号化コード管理システム。
【請求項１５】
前記暗号化コードが、前記データの送受信が行われるときに使用可能であるものと使用不可能であるものとを備えることを特徴とする請求項１〜請求項１４のいずれかに記載の暗号化コード管理システム。
【請求項１６】
前記データ送信装置及び前記データ受信装置で送受信される前記データが著作権を備えたデータであることを特徴とする請求項１〜請求項１５のいずれかに記載の暗号化コード管理システム。
【請求項１７】
前記データ送信装置及び前記データ受信装置で送受信される前記データがＡＶデータであることを特徴とする請求項１〜請求項１６のいずれかに記載の暗号化コード管理システム。
【請求項１８】
特定の暗号化コードによって暗号化されたデータを送受信する前記データ送信装置及び前記データ受信装置の少なくとも一方を備えるｎ個の通信システムと、
ｎ＋ｘ（ｘ≧０）個の暗号化コードと、
を備え、
前記ｎ＋ｘ個の暗号化コードから１つの暗号化コードを選択し、
前記ｎ個の通信システムから所望するデータ送信装置及びデータ受信装置を選択し、
選択した当該データ送信装置及びデータ受信装置に、選択した前記暗号化コードを格納させて、選択した当該データ送信装置及びデータ受信装置の間で通信可能な通信システムを構築することを特徴とする請求項１〜請求項１７のいずれかに記載の暗号化コード管理システム。
【請求項１９】
暗号化コードで暗号化されたデータを送信又は受信するデータ処理装置において、
前記暗号化コードを記録する暗号化コード記録部と、
暗号化コードが装置外部から入力される暗号化コード入力部と、
前記暗号化コード記録部に記録された暗号化コードを、前記暗号化コード入力部を介して入力された暗号化コードと交換して前記暗号化コード記録部に記録させる暗号化コード交換制御部と、
を備え、
前記暗号化コード交換制御部によって交換された交換前に前記暗号化コード記録部に記録された暗号化コードを装置外部に出力する暗号化コード出力部を備えることを特徴とするデータ処理装置。
【請求項２０】
前記暗号化コード記録部に複数の暗号化コードそれぞれを格納する複数の暗号化コード記録領域を備え、当該複数の暗号化コード記録領域に格納された前記暗号化コードのうち使用可能な暗号化コードを利用して通信することを特徴とする請求項１９に記載のデータ処理装置。
【請求項２１】
前記暗号化コード記録領域のうち特定の暗号化コード記録領域に格納された暗号化コードのみが交換されることを特徴とする請求項２０に記載のデータ処理装置。
【請求項２２】
暗号化コードで暗号化されたデータを受信するデータ受信部を備えたデータ処理装置において、
前記暗号化コードを記録する暗号化コード記録部と、
データ通信を行う他のデータ処理装置において前記暗号化コードが生成されたとき、暗号化された当該暗号化コードを受信する際において暗号化解除する仮暗号化コードが装置外部から入力される暗号化コード入力部と、
を備え、
前記暗号化コード入力部において前記仮暗号化コードを受信すると、前記他のデータ処理装置からの前記暗号化コードを前記データ受信部で受信した後、前記仮暗号化コードによって前記暗号化コードを暗号化解除することを特徴とするデータ処理装置。
【請求項２３】
前記仮暗号化コードを前記暗号化コード入力部で受信後の時間を計測するタイマを備え、
前記暗号化コード入力部で受信した前記仮暗号化コードを前記暗号化コード記録部に格納した後、
該タイマによる計測時間より所定時間が経過したことを確認したとき、前記仮暗号化コードを前記暗号化コード記録部より削除することを特徴とする請求項２２に記載のデータ処理装置。
【請求項２４】
請求項１〜請求項１８のいずれかに記載の暗号化コード管理システムにおけるデータ送信装置又はデータ受信装置であることを特徴とする請求項１９〜請求項２３のいずれかに記載のデータ処理装置。
【請求項２５】
送受信される前記データが著作権を備えたデータであることを特徴とする請求項１９〜請求項２４のいずれかに記載のデータ処理装置。
【請求項２６】
送受信される前記データがＡＶデータであることを特徴とする請求項１９〜請求項２５のいずれかに記載のデータ処理装置。
【請求項２７】
請求項２に記載の暗号化コード管理システムにおける前記電子機器において、
前記データ送信装置又は前記データ受信装置と交換する前記暗号化コードを格納する暗号化コード記憶部と、
前記データ送信装置又は前記データ受信装置からの前記暗号化コードを受信する暗号化コード入力部と、
前記データ送信装置又は前記データ受信装置へ前記暗号化コードを送信する暗号化コード出力部と、
前記暗号化コード記憶部に格納する前記暗号化コードを交換する暗号化コード交換制御部と、
を有することを特徴とする電子機器。
【請求項２８】
請求項３又は請求項４に記載の暗号化コード管理システムにおける前記電子機器において、
前記暗号化コードを格納する送信用暗号化コード記憶部と、
前記暗号化コードを格納する１又は複数の暗号化コード記憶領域を備えた受信用暗号化コード記憶部と、
前記データ送信装置又は前記データ受信装置からの前記暗号化コードを受信する暗号化コード入力部と、
前記データ送信装置又は前記データ受信装置へ前記暗号化コードを送信する暗号化コード出力部と、
前記送信用暗号化コード記憶部及び前記受信用暗号化コード記憶部それぞれに格納された前記暗号化コードが前記第１暗号化コードであるとき、選択した前記データ送信装置又は前記データ受信装置から受信した前記第２暗号化コードに前記第１暗号化コードを書き換えた後、前記送信用暗号化コード記憶部及び前記受信用暗号化コード記憶部それぞれに格納し、当該第２暗号化コードが前記送信用暗号化コード記憶部及び前記受信用暗号化コード記憶部それぞれに格納されているとき、前記送信用暗号化コード記憶部及び前記受信用暗号化コード記憶部に格納する暗号化コードを交換する暗号化コード交換制御部と、
を有することを特徴とする電子機器。
【請求項２９】
請求項９に記載の暗号化コード管理システムにおける前記電子機器において、
前記データ送信装置及び前記データ受信装置に送信する前記暗号化コードを格納する暗号化コード記憶部と、
前記データ送信装置又は前記データ受信装置へ前記暗号化コードを送信する暗号化コード出力部と、
を有することを特徴とする電子機器。
【請求項３０】
請求項１０又は請求項１１に記載の暗号化コード管理システムにおける前記電子機器において、
前記データ送信装置及び前記データ受信装置に送信する前記暗号化コードを生成する暗号化コード生成部と、
前記データ送信装置又は前記データ受信装置へ前記暗号化コードを送信する暗号化コード出力部と、
を有することを特徴とする電子機器。
【請求項３１】
前記暗号化データ生成部で生成した前記暗号化コードを格納する暗号化コード記憶部を備えることを特徴とする請求項３０に記載の電子機器。
【請求項３２】
請求項５又は請求項６に記載の暗号化コード管理システムにおける前記電子機器において、
前記暗号化コードを格納する暗号化コード記憶部と、
前記データ送信装置又は前記データ受信装置からの前記暗号化コードを受信する暗号化コード入力部と、
前記データ送信装置又は前記データ受信装置へ前記暗号化コードを送信する暗号化コード出力部と、
前記暗号化コード記憶部に格納された前記暗号化コードが前記第１暗号化コードであるとき、選択した前記データ送信装置又は前記データ受信装置から受信した前記第２暗号化コードに前記第１暗号化コードを書き換えた後、前記暗号化コード記憶部に格納し、当該第２暗号化コードが前記暗号化コード記憶部に格納されているとき、前記暗号化コード記憶部に格納している当該第２暗号化コードを前記暗号化コード出力部より送信する暗号化コード管理制御部と、
を有することを特徴とする電子機器。
【請求項３３】
前記暗号化コードを前記暗号化コード出力部より前記データ送信装置及び前記データ受信装置のいずれか１つへ送信した後の経過時間を計測するタイマを備え、
当該タイマで所定時間の経過を確認したとき、同一の前記暗号化コードにおける前記データ送信装置及び前記データ受信装置への送信を禁止することを特徴とする請求項２９〜請求項３２のいずれかに記載の電子機器。
【請求項３４】
前記暗号化コードを前記暗号化生成部で生成した後の経過時間を計測するタイマを備え、
当該タイマで所定時間の経過を確認したとき、同一の前記暗号化コードにおける前記データ送信装置及び前記データ受信装置への送信を禁止することを特徴とする請求項３０又は請求項３１に記載の電子機器。
【請求項３５】
前記データ出力部から送信する前記暗号化コードの前記データ送信装置及び前記データ受信装置それぞれへの送信回数を計数するカウンタを備え、
当該カウンタで同一の前記暗号化コードにおける前記データ送信装置及び前記データ受信装置への送信回数を計数することで、当該カウンタで同一の前記暗号化コードにおける前記データ送信装置及び前記データ受信装置への送信回数を制限することを特徴とする請求項２９〜請求項３４のいずれかに記載の電子機器。
【請求項３６】
前記暗号化コードが交換又は設定可能であるコードと交換又は設定不可能であるコードとを備えるとき、交換又は設定不可能な暗号化コードを前記暗号化コード交換制御部で検知すると、暗号化コードの交換動作を禁止することを特徴とする請求項２７〜請求項３５のいずれかに記載の電子機器。
【請求項３７】
前記暗号化コードが、前記データ送信装置及び前記データ受信装置を特定する種類に応じて交換又は設定可能であることが設定されることを特徴とする請求項３６に記載の電子機器。
【請求項３８】
請求項１〜請求項１８のいずれかに記載の暗号化コード管理システムで使用される暗号化コードを配布することを特徴とする暗号化コード配布方法。
【請求項３９】
前記暗号化コードが交換又は設定可能であるコードと交換又は設定不可能であるコードとを備えることを特徴とする請求項３８に記載の暗号化コード配布方法。
【請求項４０】
前記暗号化コードが、前記データ送信装置及び前記データ受信装置を特定する種類に応じて交換又は設定可能であることが設定されることを特徴とする請求項３８に記載の暗号化コード配布方法。
【請求項４１】
前記暗号化コードが、前記データの送受信が行われるときに使用可能であるものと使用不可能であるものとを備えることを特徴とする請求項３８〜請求項４０のいずれかに記載の暗号化コード配布方法。
【手続補正２】
【補正対象書類名】明細書
【補正対象項目名】００２１
【補正方法】変更
【補正の内容】
【００２１】
【課題を解決するための手段】
上記目的を達成するために、本発明の暗号化コード管理システムは、データを暗号化して送信する複数のデータ送信装置と、該データ送信装置からの暗号化されたデータを受信する複数のデータ受信装置と、を備える暗号化コード管理システムであって、選択した前記データ送信装置を第１データ送信装置とし、選択した前記データ受信装置を第２データ受信装置とし、前記第１データ送信装置と通信システムを構築しているデータ受信装置を第１データ受信装置とし、前記第２データ受信装置と通信システムを構築しているデータ送信装置を第２データ送信装置としたとき、前記第１データ送信装置と前記第２データ送信装置との間、又は、前記第１データ受信装置と前記第２データ受信装置との間のいずれか一方で、暗号化コードが交換されることによって、前記第１データ送信装置及び前記第２データ受信装置によって通信システムを新たに構築することを特徴とする。
【手続補正３】
【補正対象書類名】明細書
【補正対象項目名】００２３
【補正方法】変更
【補正の内容】
【００２３】
又、本発明の暗号化コード管理システムにおいて、特定の暗号化コードによって暗号化されたデータを送受信するデータ送信装置及びデータ受信装置の少なくとも一方を備えるｎ個の通信システムと、ｎ＋ｘ（ｘ≧０）個の暗号化コードと、を備え、前記ｎ＋ｘ個の暗号化コードから１つの暗号化コードを選択し、前記ｎ個の通信システムから所望するデータ送信装置及びデータ受信装置を選択し、選択した当該データ送信装置及びデータ受信装置に、選択した前記暗号化コードを格納させて、選択した当該データ送信装置及びデータ受信装置の間で通信可能な通信システムを構築するものとしても構わない。
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】変更
【補正の内容】
【００２７】
上述の暗号化コード管理システムでは、第１データ送信装置及び第１データ受信装置がそれぞれ第１送信用暗号化コード及び第１受信用暗号化コードを格納して、第１通信システムを構築し、第２データ送信装置及び第２データ受信装置がそれぞれ第２送信用暗号化コード及び第２受信用暗号化コードを格納して、第２通信システムを構築している。このとき、第１データ送信装置と第２データ送信装置との間で送信用暗号化コードの交換が行われることで、第１データ送信装置が第２データ受信装置の第２受信用暗号化コードと対を成す第２送信用暗号化コードを格納するとともに、第２データ送信装置が第１データ受信装置の第１受信用暗号化コードと対を成す第１送信用暗号化コードを格納する。又は、第１データ受信装置と第２データ受信装置との間で受信用暗号化コードの交換が行われることで、第１データ受信装置が第２データ送信装置の第２送信用暗号化コードと対を成す第２受信用暗号化コードを格納するとともに、第２データ受信装置が第１データ送信装置の第１送信用暗号化コードと対を成す第１受信用暗号化コードを格納する。
【手続補正８】
【補正対象書類名】明細書
【補正対象項目名】００３１
【補正方法】変更
【補正の内容】
【００３１】
又、選択した前記データ送信装置１つに対して複数の前記データ受信装置を選択し、選択した当該データ送信装置及び複数のデータ受信装置に、選択した前記暗号化コードを格納させて、選択した当該データ送信装置及び複数のデータ受信装置の間で通信可能な通信システムを構築するようにしても構わない。
【手続補正９】
【補正対象書類名】明細書
【補正対象項目名】００３４
【補正方法】変更
【補正の内容】
【００３４】
又、本発明の暗号化コード管理システムは、データを暗号化して送信する複数のデータ送信装置と、該データ送信装置からの暗号化されたデータを受信する複数のデータ受信装置と、を備え、同一の通信システムを構築する前記データ送信装置及び前記データ受信装置を選択して、選択した当該データ送信装置及び当該データ受信装置に対して同一の暗号化コードを設定する暗号化コード管理システムであって、書換が必要な第１暗号化コードを送信側及び１又は複数の受信側それぞれに対応して格納するとともに、前記データ送信装置及び前記データ受信装置と通信を行う電子機器を備え、前記電子機器が、選択した前記データ送信装置又は前記データ受信装置のいずれか１つと通信を行うことで、通信している前記データ送信装置又は前記データ受信装置が備えている第２暗号化コードを受信した後、格納している前記第１暗号化コードを前記第２暗号化コードに書き換えて、送信側及び１又は複数の受信側それぞれに格納し、格納した前記第２暗号化コードを、前記第２暗号化コードを備えた前記データ送信装置又は前記データ受信装置と通信システムを構築するように選択された前記データ送信装置又は前記データ受信装置が備えた前記暗号化コードと交換し、選択した前記データ送信装置及び１台又は複数台の前記データ受信装置との間で通信可能な通信システムを構築することを特徴とする。
【手続補正１０】
【補正対象書類名】明細書
【補正対象項目名】００３７
【補正方法】変更
【補正の内容】
【００３７】
又、選択した前記データ送信装置及び前記データ受信装置の間でのデータ通信時において使用される前記暗号化コードのうちの一つ又は複数を格納するとともに、前記データ送信装置及び前記データ受信装置と通信を行う電子機器を備え、前記電子機器が選択した前記データ送信装置及び前記データ受信装置それぞれに前記電子機器に格納されている前記暗号化コードを送信して、選択した前記データ送信装置及び前記データ受信装置がデータ通信を行うときに使用する暗号化コードとして設定し、選択した前記データ送信装置及び前記データ受信装置との間で通信可能な通信システムを構築するようにしても構わない。
【手続補正１１】
【補正対象書類名】明細書
【補正対象項目名】００３９
【補正方法】変更
【補正の内容】
【００３９】
又、選択した前記データ送信装置及び前記データ受信装置の間でのデータ通信時において使用される前記暗号化コードを生成するとともに、前記データ送信装置及び前記データ受信装置と通信を行う電子機器を備え、前記電子機器が選択した前記データ送信装置及び前記データ受信装置それぞれに前記電子機器で生成した前記暗号化コードを送信して、選択した前記データ送信装置及び前記データ受信装置がデータ通信を行うときに使用する暗号化コードとして設定し、選択した前記データ送信装置及び前記データ受信装置との間で通信可能な通信システムを構築するようにしても構わない。
【手続補正１２】
【補正対象書類名】明細書
【補正対象項目名】００４１
【補正方法】変更
【補正の内容】
【００４１】
又、本発明の暗号化コード管理システムは、データを暗号化して送信する複数のデータ送信装置と、該データ送信装置からの暗号化されたデータを受信する複数のデータ受信装置と、を備え、同一の通信システムを構築する前記データ送信装置及び前記データ受信装置を選択して、選択した当該データ送信装置及び当該データ受信装置に対して同一の暗号化コードを設定する暗号化コード管理システムであって、書換が必要な第１暗号化コードを送信側及び１又は複数の受信側それぞれに対応して格納するとともに、前記データ送信装置及び前記データ受信装置と通信を行う電子機器を備え、前記電子機器が、選択した前記データ送信装置又は前記データ受信装置のいずれか１つと通信を行うことで、通信している前記データ送信装置又は前記データ受信装置が備えている第２暗号化コードを受信した後、格納している前記第１暗号化コードを前記第２暗号化コードに書き換えて、送信側及び１又は複数の受信側それぞれに格納し、格納した前記第２暗号化コードを前記第２暗号化コードを備えた前記データ送信装置又は前記データ受信装置と通信システムを構築するように選択された前記データ送信装置又は前記データ受信装置に送信して、選択した前記データ送信装置及び前記データ受信装置がデータ通信を行うときに使用する暗号化コードとして設定し、選択した前記データ送信装置及び１台又は複数台の前記データ受信装置との間で通信可能な通信システムを構築することを特徴とする。
【手続補正１３】
【補正対象書類名】明細書
【補正対象項目名】００４７
【補正方法】変更
【補正の内容】
【００４７】
又、選択した前記データ送信装置及び前記データ受信装置の間でのデータ通信時において使用される前記暗号化コードを設定する際に前記データ送信装置及び前記データ受信装置の通信で使用される仮暗号化コードを一つ又は複数格納するとともに、前記データ送信装置及び前記データ受信装置と通信を行う電子機器を備え、前記電子機器が選択した前記データ送信装置及び前記データ受信装置それぞれに同一の前記仮暗号化コードを送信し、当該仮暗号化コードを受信した前記データ送信装置及び前記データ受信装置が該仮暗号化コードによる通信を行うことで前記暗号化コードを生成して、前記データ送信装置及び前記データ受信装置それぞれがデータ通信を行うときに使用する前記暗号化コードとして設定し、選択した前記データ送信装置及び前記データ受信装置との間で通信可能な通信システムを構築するようにしても構わない。
【手続補正１４】
【補正対象書類名】明細書
【補正対象項目名】００５０
【補正方法】変更
【補正の内容】
【００５０】
又、選択した前記データ送信装置及び前記データ受信装置の間でのデータ通信時において使用される前記暗号化コードを設定する際に前記データ送信装置及び前記データ受信装置の通信で使用される仮暗号化コードを生成するとともに、前記データ送信装置及び前記データ受信装置と通信を行う電子機器を備え、前記電子機器が選択した前記データ送信装置及び前記データ受信装置それぞれに生成した前記仮暗号化コードを送信し、当該仮暗号化コードを受信した前記データ送信装置及び前記データ受信装置が該仮暗号化コードによる通信を行うことで新たな暗号化コードを生成して、前記データ送信装置及び前記データ受信装置それぞれが前記データ通信を行うときに使用する前記暗号化コードとして設定し、選択した前記データ送信装置及び前記データ受信装置との間で通信可能な通信システムを構築するようにしても構わない。
【手続補正１５】
【補正対象書類名】明細書
【補正対象項目名】００６１
【補正方法】変更
【補正の内容】
【００６１】
又、本発明のデータ処理装置は、暗号化コードで暗号化されたデータを送信又は受信するデータ処理装置において、前記暗号化コードを記録する暗号化コード記録部と、暗号化コードが装置外部から入力される暗号化コード入力部と、前記暗号化コード記録部に記録された暗号化コードを、前記暗号化コード入力部を介して入力された暗号化コードと交換して前記暗号化コード記録部に記録させる暗号化コード交換制御部と、を備え、前記暗号化コード交換制御部によって交換された交換前に前記暗号化コード記録部に記録された暗号化コードを装置外部に出力する暗号化コード出力部を備えることを特徴とする。
【手続補正１６】
【補正対象書類名】明細書
【補正対象項目名】００６２
【補正方法】変更
【補正の内容】
【００６２】
このとき、前記暗号化コード記録部に複数の暗号化コードそれぞれを格納する複数の暗号化コード記録領域を備え、当該複数の暗号化コード記録領域に格納された前記暗号化コードのうち使用可能な暗号化コードを利用して無線通信が行われるようにしても構わない。更に、このとき、前記暗号化コード記録領域のうち特定の暗号化コード記録領域に格納された暗号化コードのみが交換されるようにしても構わない。